(57)【要約】【課題】本発明は、従来の芝生保護盤上を歩く時、保護盤からの反力に対する感触を軽減するための芝生保護資材の提供にある。【解決手段】本発明は、上部枠と下部枠からなる植物保護資材にあって、下部枠は、下部踏圧部と下部透孔部から構成され、踏圧部は筒状に立上がり互いに連結され、透孔部は踏圧部に囲まれた空間として形成され、基盤上に敷き設され、上部枠は、上部踏圧部と上部透孔部からなり、上部踏圧部は平坦で互いに連結され、かつ下部踏圧部と契合可能とされ、上部透孔部は上部踏圧部に囲まれた空間として形成され、かつ上部透孔部と下部透孔部は上下に貫通し、下部踏圧部と上部踏圧部の契合に弾性部を設けた植物保護資材である。【選択図】図1
2007282522.tif 000002
【特許請求の範囲】
【請求項１】
上部枠と下部枠からなる植物保護資材にあって、下部枠は、下部踏圧部と下部透孔部から構成され、下部踏圧部は筒状に立上り互いに連結され、下部透孔部は下部踏圧部に囲まれた空間として形成され、基盤上に敷き設され、上部枠は、上部踏圧部と上部透孔部からなり、上部踏圧部は平坦で互いに連結され、かつ下部踏圧部と契合可能とされ、上部透孔部は上部踏圧部に囲まれた空間として形成され、かつ上部透孔部と下部透孔部は上下に貫通し、下部踏圧部と上部踏圧部の契合に弾性部を設けた植物保護資材。
【請求項２】
踏圧部と透孔部から構成され、踏圧部は平坦で互いに連結され、踏圧部に囲まれた空間が透孔部を形成する基盤上に敷き設する植物保護資材において、踏圧部の下部に弾性体となる突片を設けた植物保護資材。
【発明の詳細な説明】
【技術分野】
【０００１】
本発明は、芝生などの植物を保護する技術に属する。
【背景技術】
【０００２】
芝生やその他の植物を育成させた広場として、ゴルフ場、運動場、公園、庭園、工場の路側、各種の敷地空間内があり、古くは芝生保護のため芝生内は立ち入り禁止とする場合が普通であった。最近では芝生内に立ち入る人、あるいは車の踏み圧から植物を保護するための図２に示すような踏圧部と透孔部からなる芝生保護盤（特開平2-145137、特開平4-75541）等が各種提案され使用されている。
さらにこれら芝生保護盤を用いた際に人の踏み圧を和らげるため、芝生保護盤上に更に平坦な上部枠を設置し、上部枠で人の足との接触部の面積を大きくし踏圧部からの反力を軽減する方法が特開平5-56724に開示されている。
【０００３】
【特許文献１】特開平2-145137
【特許文献２】特開平4-75541
【特許文献３】特開平5-56724
【発明の開示】
【発明が解決しようとする課題】
【０００４】
本発明は、従来の芝生保護盤上を歩く人の踏み圧に対する感触をさらに軽減する芝生保護資材の提供にある。
【課題を解決するための手段】
【０００５】
本第1の発明は、上部枠と下部枠からなる植物保護資材にあって、下部枠は、下部踏圧部と下部透孔部から構成され、下部踏圧部は筒状に立上り互いに連結され、下部透孔部は下部踏圧部に囲まれた空間として形成され、基盤上に敷き設され、上部枠は、上部踏圧部と上部透孔部からなり、上部踏圧部は平坦で互いに連結され、かつ下部踏圧部と契合可能とされ、上部透孔部は上部踏圧部に囲まれた空間として形成され、かつ上部透孔部と下部透孔部は上下に貫通し、下部踏圧部と上部踏圧部の契合に弾性部を設けた植物保護資材である。
本第2の発明は、踏圧部と透孔部から構成され、踏圧部は平坦で互いに連結され、踏圧部に囲まれた空間が透孔部を形成する基盤上に敷き設する植物保護資材において、踏圧部の下部に弾性体となる突片を設けた植物保護資材である。
踏圧部からの反力を軽減するため弾性体を用いた。
【発明の効果】
【０００６】
本発明は、踏圧部、上部枠あるいは下部枠と上部枠の間に弾性体を挿入したため踏圧部から人の足にかかる反力が軽減される。
【発明を実施するための最良の形態】
【０００７】
以下本発明を図により詳細に説明する。
図1は、本発明を構成する植物保護資材の概念図である。
図1ａは本発明を構成する下部枠の概念図であり、平面図およびA-A線での断面図である。図1ｂは上部枠であり平面図およびB-B線での断面図である。図1ｃは下部枠上に上部枠を載置した状態を示す断面図である。
図に示すように下部枠は人、車の踏み圧を支える凸部である下部踏圧部と下部踏圧部を連結する梁部と下部踏圧部で囲まれた下部透孔部からなる。下部透孔部は土壌を保持するとともに雨水等の水が土壌に浸透するための孔で、芝などの植物はこの下部透孔部で育成される。
図では下部踏圧部の上部は、後述する上部枠の上部踏圧部と契合させるため、段状の契合部となっている。本発明の植物保護資材は下部枠の下部透孔部の土壌が上部枠を支持するため上部踏圧部下部に設けた弾性部である突片を支える下部踏圧部の段は必ずしも必要ではなく、土壌にて支えることもできる。下部踏圧部と上部踏圧部が契合可能となっていればよい。図では筒状に立上がる下部踏圧部に輪状の上部踏圧部が契合可能とされている。
また、段部に輪状のゴム、スプリングあるいは板ばねなどの弾性体を嵌め込むことでも本発明の目的は達成できる。
【０００８】
上部枠は下部踏圧部に契合する輪状の上部踏圧部と上部踏圧部を連結する梁部からなる。上部踏圧部で囲まれた空間が上部透水部を形成する。上部踏圧部はは特に人が本植物保護資材上を歩く時、下部踏圧部から伝わる反力を軽減するため平坦広めに形成されることが好ましい。また、上部透水部と下部透水部は重なり合うように上下に貫通させることが好ましい。
上部踏圧部の下部には、人の踏み圧に対する反力を軽減するため弾力を持たせるためばね状の突片がその周囲に設けられている。
【０００９】
図１ｃに示すように、下部枠上に上部枠を載置すると、輪状の上部踏圧部に設けられた突片が下部踏圧部に設けた段により支えられる。また図では、下部踏圧部に契合しない上部踏圧部も存在する。人の踏み圧は下部踏圧部に契合する上部踏圧部あるいは契合しない上部踏圧部の下部に設けた弾性部である突片の弾力によって軽減される。突片は図に示した位置以外に、上部踏み圧部をつなぐ梁部の下に設けてもよい。
また図では下部枠、上部枠にはそれぞれの枠同士を連結するための継ぎ手部が設けられている。しかしこれら継ぎ手は本発明においては必ずしも必要ではないが施工上あることが好ましい。
【００１０】
図２は、図1に示す植物保護資材と異なる下部枠および上部枠を用いた例である。
図2ａは、下部枠の平面図および断面図である。図2ｂは上部枠の平面図および断面図である。図2ｃは、上部枠を下部枠に重ねた状態を示す断面図である。
下部枠は4角筒を連結した形状であり、それぞれの角筒の枠が下部踏圧部に相当し、筒内が下部透水部に相当する。上部枠は下部枠と比較して背の低い4角筒の間を平板で連結した形状であり、この背の低い4角筒の上面およびそこから垂下する筒部が上部踏圧部に相当し、筒内が上部透水部に相当する。上部踏圧部から垂下する筒部が、下部透水部に挿入される。下部透水部内は段状とされ、上部踏圧部が挿入された時支持する。上部踏圧部の下部には水平に筒中心方向に向かう突片が設けられ弾性部を形成する。
図２ｃに示すように、上部踏圧部にかかる人の踏み圧は上記載の弾性部により軽減される。
【００１１】
図３は本植物保護資材の他の一例を示す図である。
図３ａ、図３ｂは従来の植物保護盤であり、図３ａは本発明の下部枠に相当し、図３ｂは従来の上部枠に相当する。図３ｃは下部枠と上部枠との間に挟む弾性体である。図３ｄに示すとおり下部枠、弾性体および上部枠を順次重ねることで上記同様踏み圧に対する反力を軽減することが可能となる。弾性体はゴムなどの弾力のある材質であればよい。
弾性体および上部枠は、下部透孔部にて保持される土壌で支持される。上部枠と下部枠は、下部踏圧部に上部踏圧部を契合させることで互いに移動せず一体化される。
【００１２】
図4は、上部枠のみを用いた植物保護資材の例を示している。
上部枠は直接土壌上に載置され、土壌によって支持される。上部踏圧部の下部に設けられた弾性部である突片が人の踏み圧を軽減し、同時に踏み圧部からの反力をも軽減する。突片の位置は上部踏圧部の下部あるいは上部踏圧部をつなぐ梁部の下部に設けてもよい。
【００１３】
本植物保護資材の材質は、一般に下部枠は強度を必要とするためコンクリートあるいは樹脂製、上部枠は人の踏み圧による反力を軽減する目的のためエラストマーを含む樹脂製が好ましい。
【図面の簡単な説明】
【００１４】
【図１】本発明の植物保護資材を示す概念図である。
【図２】本発明の植物保護資材における第2の例を示す概念図である。
【図３】本発明の植物保護資材における第3の例を示す概念図である。
【図４】本発明の植物保護資材における第４の例を示す概念図である。
【符号の説明】
【００１５】
１  植物保護資材
２  下部枠
３  上部枠
４  下部踏圧部
５  下部透孔部
６  上部踏圧部
７  上部透水部
８  弾性部
【図１】
2007282522.tif 000003
【図２】
2007282522.tif 000004
【図３】
2007282522.tif 000005
【図４】
2007282522.tif 000006